(57)【要約】【課題】  表示を見易くできると共に、不要な部分は見え難くできて、見た目を一層良くできるようにする。【解決手段】  トッププレート１５を半透明とし、そのトッププレート１５の下方に、表示手段として蛍光表示管２３を設ける。蛍光表示管２３は、アノードそのものが発光するものであり、液晶表示器に比べ、視野角が広いと共に、高輝度であるため、加熱調理器２に対し、斜め上方となる使用者の視線からでも表示が見易い。トッププレート１５は半透明としたので、蛍光表示管２３の点灯表示部は視認できるが、非点灯部は視認され難くなる。このため、必要な部分のみが表示できると共に、不要な部分は見え難くできるから、デザイン性にも優れると共に、表示内容を一層分かり易くできる。【選択図】  図１
2005322511.tif 000002
【特許請求の範囲】
【請求項１】
トッププレート上に載置された被加熱物を、前記トッププレートの下方に設けられた加熱手段により加熱する構成の加熱調理器において、
前記トッププレートを半透明とすると共に、そのトッププレートの下方に蛍光表示管を設けたことを特徴とする加熱調理器。
【請求項２】
トッププレートは、可視光領域において分光透過特性を有することを特徴とする請求項１記載の加熱調理器。
【請求項３】
トッププレートは、可視光領域において、赤色に相当するほぼ７００ｎｍの分光透過率を、青色や緑色に相当するほぼ５００ｎｍの分光透過率より大きくしたことを特徴とする請求項２記載の加熱調理器。
【請求項４】
トッププレートは、ほぼ透明な結晶化ガラスの裏面に金属薄膜を形成した構成であることを特徴とする請求項１〜３のいずれかに記載の加熱調理器。
【請求項５】
トッププレートは、着色結晶化ガラスにより構成されていることを特徴とする請求項１〜３のいずれかに記載の加熱調理器。
【請求項６】
蛍光表示管によりイラスト表示することを特徴とする請求項１ないし５のいずれかに記載の加熱調理器。
【請求項７】
加熱手段は２個設けられ、蛍光表示管は、それら２個の加熱手段間に配置されていることを特徴とする請求項１ないし６のいずれかに記載の加熱調理器。
【請求項８】
高温注意用の表示は、蛍光表示管以外の光源を使用するようにしたことを特徴とする請求項１ないし７のいずれかに記載の加熱調理器。
【発明の詳細な説明】
【技術分野】
【０００１】
本発明は、トッププレート上に載置された被加熱物を、トッププレートの下方に設けられた加熱手段により加熱する構成の加熱調理器に関する。
【背景技術】
【０００２】
この種の加熱調理器、例えば誘導加熱調理器において、トッププレートの下方に液晶表示器を設けると共に、この液晶表示器の背部にバックライトを設け、加熱手段である加熱コイルのオンオフや、入力電力のレベルなどをその液晶表示器により表示する構成としたものが知られている（例えば、特許文献１参照）。この場合、トッププレートにおいて、液晶表示器に対応する部分は、液晶表示器の表示がトッププレートの上方から見えるように透明にしている。
【特許文献１】特開平７−９４２６７号公報
【発明の開示】
【発明が解決しようとする課題】
【０００３】
上記液晶表示器を用いたものでは、次のような欠点がある。まず、使用者がその液晶表示器の表示を見る場合、液晶表示器に対して斜め上方から見ることが多くなる事情がある。しかしながら、液晶表示器はバックライトで照明されているものの、視野角（表示を見ることができる角度）が狭く、表示状態が斜めからでは見難いことが多い。また、液晶表示器は、表示状態の部分だけでなく、非表示状態の部分があることがわかり、見た目を悪くするという不具合もある。
【０００４】
本発明は、上記の問題点を解決するためになされたもので、表示を見易くできると共に、不要な部分は見え難くできて、見た目を一層良くできる加熱調理器を提供することを目的とする。
【課題を解決するための手段】
【０００５】
上記の目的を達成するために、本発明による加熱調理器は、トッププレート上に載置された被加熱物を、前記トッププレートの下方に設けられた加熱手段により加熱する構成のものにおいて、前記トッププレートを半透明とすると共に、そのトッププレートの下方に蛍光表示管を設けたことを特徴とする。
【発明の効果】
【０００６】
本発明によれば、トッププレートの下方に設けられる表示手段として蛍光表示管を用いている。蛍光表示管は、アノードそのものが発光するものであり、液晶表示器に比べ、視野角が広いと共に、高輝度であるため、加熱調理器に対し、斜め上方となる使用者の視線からでも表示が見易い。しかも、トッププレートは半透明であるので、蛍光表示管の点灯表示部は視認できるが、非点灯部は視認され難くなる。このため、必要な部分のみが表示できると共に、不要な部分は見え難くできるから、デザイン性にも優れると共に、表示内容を一層分かり易くできる。
【発明を実施するための最良の形態】
【０００７】
以下、本発明の一実施形態について図面を参照して説明する。
まず、図１には、台所のキャビネット１に、加熱調理器２が組み込まれた状態の外観斜視図が示されている。この図１において、加熱調理器２の本体３は、キャビネット１に設けられた収納部４に収納されている。本体３の左部には、ロースタ部５が設けられ、右部には、操作部６が設けられている。操作部６には、複数のスイッチ７が設けられている。
【０００８】
本体３の上部には、図２に示すような上部加熱ユニット１０が設けられている。この上部加熱ユニット１０は、上面が開口した矩形箱状の上部ケース１１内に、それぞれ誘導加熱用の左加熱コイル１２と右加熱コイル１３を左右に配置すると共に、中央部の後部側に位置させて例えばラジエントヒータからなる中央ヒータ１４を配置し、その上面開口部にそれらコイル１２，１３及びヒータ１４を上方から覆うように、耐熱ガラス製のトッププレート１５を設けて構成されている。
【０００９】
トッププレート１５には、左右の加熱コイル１２，１３及び中央ヒータ１４の上方に位置させて、それぞれ円形の加熱部１６，１７，１８が表示されている。そして、左右の加熱コイル１２，１３は、加熱部１６，１７上に調理容器を載置した状態で通電制御されることに基づき、その調理容器を誘導加熱し、また、中央ヒータ１４は、加熱部１８上に調理容器を載置した状態で通電制御されることに基づき、その調理容器を加熱するようになっている。左右の加熱コイル１２，１３と中央ヒータ１４は、それぞれ加熱手段を構成している。
【００１０】
上記上部ケース１１内の前部には、左右の加熱コイル１２，１３の前方に位置させてそれぞれ多数個のＬＥＤ（発光ダイオード）１９を有する火力表示部２０，２１を設けていると共に、左右の加熱コイル１２，１３間に位置させて、ＬＥＤ１９を有する高温注意表示部２２と、蛍光表示管２３を設けている。従って、これら火力表示部２０，２１、高温表示部２２及び蛍光表示管２３は、上記トッププレート１５の下方に配置されている。各火力表示部２０，２１は、対応する加熱部１６，１７の外周にほぼ沿うように配置されている。この場合、トッププレート１５は、ほぼ透明な結晶化ガラスの裏面（下面）に金属例えばチタンの薄膜をスパッタリングにより形成した構成とすることで、半透明の構成とされていて、後述するように、可視光領域において分光透過特性を有している。
【００１１】
図４には、上記蛍光表示管２３の具体的な表示例が示されている。この図４では、すべての表示部が点灯表示された状態が表されている。蛍光表示管２３の表示内容としては、左右の加熱コイル１２，１３と中央ヒータ１４の使用状態を示す使用状態表示部２４、湯沸し表示部２５、炒め物表示部２６、天ぷら表示部２７、炊飯表示部２８、ロースタ表示部２９、火力表示部３０（ロースタと中央ヒータ共用）となっている。この場合、これら各表示部２４〜３０の表示色としては、赤色と青色が使用される。
【００１２】
なお、トッププレート１５における上記加熱部１６，１７の下面側に位置させて、図示はしないが温度センサが設けられている。また、上記操作部６の内部には、図示はしないが、マイクロコンピュータを備えた制御装置が設けられている。この制御装置は、操作部６のスイッチ７の操作信号と、上記温度センサの検出信号と、予め備えた制御プログラムに基づき、上記左右の加熱コイル１２，１３、中央ヒータ１４、及びロースタ５のヒータ(図示せず)などの加熱手段を制御すると共に、上記火力表示部２０，２１、高温注意表示部２２、及び蛍光表示管２３を制御する機能を有している。
【００１３】
上記構成において、火力表示部２０，２１は、ＬＥＤ１９の点灯個数により対応する加熱コイル１２，１３の火力の程度が表示される。高温注意表示部２２は、温度センサの検出温度が設定温度よりも高い場合に点灯表示される。また、蛍光表示管２３は、点灯により各種の表示内容が表示される。
ここで、図５には、トッププレートの透過率特性が示されている。この図５において、特性線Ａは、本発明の実施形態のトッププレート１５（チタンのスパッタリングをしたもの）に関するものである。光のうち可視光領域(約４００〜７００ｎｍ)において、赤色に相当するほぼ７００ｎｍの分光透過率は、青色や緑色に相当するほぼ５００ｎｍの分光透過率より大きくなっている。
【００１４】
上記した実施形態においては、トッププレート１５の下方に設けられる表示手段として蛍光表示管２３を用いた。蛍光表示管２３は、アノードそのものが発光するものであり、液晶表示器に比べ、視野角が広いと共に、高輝度であるため、斜め上方からでも、また、調理の状態や操作部６を見ながらでも、表示が見易い利点がある。しかも、トッププレート１５は半透明であるので、蛍光表示管２３の点灯表示部は視認できるが、非点灯部は視認され難くなる。このため、必要な部分のみが表示できると共に、不要な部分は見え難くできるから、デザイン性にも優れると共に、表示内容を一層分かり易くできる。
【００１５】
上記トッププレート１５は、図５に示したように、可視光領域において、赤色に相当するほぼ７００ｎｍの分光透過率を、青色や緑色に相当するほぼ５００ｎｍの分光透過率より大きくなっているので、次のような特徴がある。すなわち、蛍光表示管は、蛍光体の発光効率から青色、緑色系の輝度は、赤色系に比べ、数倍大きくなる。従って、トッププレート１５を、上記したように、可視光領域において、赤色に相当するほぼ７００ｎｍの分光透過率を、青色や緑色に相当するほぼ５００ｎｍの分光透過率より大きくすることにより、輝度が低い赤色も輝度が高い青色や緑色も、輝度をほぼ同じに（各色の輝度をほぼ均一に）することが可能になり、一層見易く、デザイン性の良いものにできる。
【００１６】
また、蛍光表示管２３の表示は、イラスト表示もするようにしているので、表示内容を一層分かり易くできる。
さらに、蛍光表示管２３は、左右に隣り合った２個の左及び右加熱コイル１２，１３間に配置しているので、１箇所において、それら左及び右両方の加熱コイル１２，１３についての表示を行うことができる。
【００１７】
また、加熱コイル１２，１３の火力表示部２０，２１及び高温注意表示部２２は、蛍光表示管２３の表示ではなく、ＬＥＤ１９による表示とした。特に、安全に関係した表示をする高温注意表示部２２としては、蛍光表示管より高寿命で低電力の光源であるＬＥＤ１９を使用することにより、安全性の向上、及び表示時の電力節約が可能となる。ちなみに、蛍光表示管は、使用寿命が約８０００時間で、使用電力が３Ｗ程度であるのに対し、ＬＥＤは、使用寿命が５００００〜１０００００時間のものもあり、使用電力は１００ｍＷ前後である。
【００１８】
上記した実施形態では、トッププレート１５は、結晶化ガラスの裏面に、チタンの薄膜を形成する構成としたが、これに代えて、例えばシリコンなどの金属の薄膜を形成することで、半透明の構成としても良い。さらに、着色結晶化ガラス、例えば褐色の結晶化ガラスを用いる構成としても良い。図５の特性線Ｂは、着色結晶化ガラスの場合の特性線を示している。この特性線Ｂにおいても、可視光領域において、赤色に相当するほぼ７００ｎｍの分光透過率が、青色や緑色に相当するほぼ５００ｎｍの分光透過率よりも大きくなっているので、特性線Ａの場合と同様な作用効果を得ることができる。
【００１９】
また、トッププレートを半透明の構成とするについては、透明なトッププレートの下面にフィルタを設ける構成としても良い。この場合、そのフィルタを設けた状態で、上記したように、可視光領域において、赤色に相当するほぼ７００ｎｍの分光透過率が、青色や緑色に相当するほぼ５００ｎｍの分光透過率よりも大きくなる構成とすることが好ましい。
【００２０】
本発明は、上記した実施形態にのみ限定されるものではなく、次のように変形または拡張できる。
加熱調理器としては、台所のキャビネット１に組み込まれるビルトインタイプのものに限られず、ワークトップや卓上に置いて使用されるものにも適用できる。
トッププレート１５の下方に設けられる加熱手段としては、誘導加熱用の加熱コイル１２，１３、中央ヒータ１４に限られず、ガスでも良い。
【図面の簡単な説明】
【００２１】
【図１】本発明の一実施形態を示す斜視図
【図２】トッププレートを外した状態で示す要部の平面図
【図３】一部を破断した状態で示す正面図
【図４】蛍光表示管の表示内容を示す図
【図５】トッププレートの光透過特性を示す特性図
【符号の説明】
【００２２】
図面中、１はキャビネット、２は加熱調理器、６は操作部、１２は左加熱コイル（加熱手段）、１３は右加熱コイル（加熱手段）、１４は中央ヒータ（加熱手段）、１５はトッププレート、１９はＬＥＤ（光源）、２０，２１は火力表示部、２２は高温注意表示部、２３は蛍光表示管を示す。
【図１】
2005322511.tif 000003
【図２】
2005322511.tif 000004
【図３】
2005322511.tif 000005
【図４】
2005322511.tif 000006
【図５】
2005322511.tif 000007